(57)【要約】      （修正有）【課題】作業用ケースの筆記具収納部の操作をし易くする。【解決手段】基板２の表面に向かって右側の部分に二つの工具類収納部２６、３２を前後に重ねて配置し、上記二つの工具類収納部の一方２６を筆記具収納部とする。とりわけ、筆記具収納部２６を前側に配置すると良い。【選択図】図１
0003132786.tif 000002
【実用新案登録請求の範囲】
【請求項１】
皮革又は合成繊維等からなる基板の表面に、上下方向に伸び筆記具を収納する収納筒の内部に上下移動可能に収納されてその筆記具を支持し且つ支持ピンを有する支持片を配置し、上記収納筒の肉部に上下方向に伸びる支持ピン挿通孔及びそれに連通する互いに高さの異なる複数の支持ピン係合孔を形成し、上記支持ピンを上記支持ピン挿通孔或いは複数の支持ピン係合孔を通して上記収納筒から外部に突出させた筆記具収納部を含む複数の工具類収納部を設け、上記基板の上にベルトを通すベルト挿通部を形成した作業用ケースにおいて、
上記基板の表面に向かって右側の部分に二つの工具類収納部を前後に重ねて配置し、
上記二つの収納部の一方を上記筆記具収納部とした
ことを特徴とする作業用ケース。
【請求項２】
上記筆記具収納部を前側に配置した
ことを特徴とする請求項１記載の作業用ケース。
【考案の詳細な説明】
【技術分野】
【０００１】
本考案は、皮革又は合成繊維等からなる基板の表面に、上下方向に伸び筆記具を収納する収納筒の内部に上下移動可能に収納されてその筆記具を支持し且つ支持ピンを有する支持片を配置し、上記収納筒の肉部に上下方向に伸びる支持ピン挿通孔及びそれに連通する互いに高さの異なる複数の支持ピン係合孔を形成し、上記支持ピンを上記支持ピン挿通孔或いは複数の支持ピン係合孔を通して上記収納筒から外部に突出させた筆記具収納部を含む複数の工具類収納部を設け、上記基板の上にベルトを通すベルト挿通部を形成した作業用ケースに関する。
【背景技術】
【０００２】
ビルディング等の建設工事には、種々の種類の作業を行うことが必要であり、その作業に従事する各建設作業員にも種々の作業を行うことが要求される。従って、作業員は種々の工具類を使用しなければならない。そのため、一般に、建設作業員は複数種の工具類を収納できる作業用ケースを用い、それのベルト挿通部にベルト、例えば安全ベルトを通し、それに複数種の工具を収納して工事現場に臨み、種々の作業を行う。
【０００３】
本願出願人は、そのような作業用ケースについて各種の新製品を開発し、その成果の一部が例えば実用新案登録第３０５６３４０号公報、特開２００１−１７９６６２号公報等により公開されている。図２は本願出願人が最近発売した作業用ケースの一例１０２を示す斜視図である。
【０００４】
同図において、２は皮革又は合成繊維からなる基板、４は皮革又は合成繊維からなる被吊り板で、下端部がこの基板２の裏面の上部に固定され、上部が前方にＵ字状に折り返され、ベルト挿通部６を構成している。８は例えば金属からなる引っ掛け具で、上記被吊り板４の先端に固定されている。１０はその引っ掛け具８の下端部を後ろ側にＵ字状に折り返すことにより形成された引っ掛け片である。この引っ掛け片１０は後述する被引っ掛け片（３６）の被引っ掛け孔（３８）に通され、係合するようにされており、その係合状態は上端を被吊り版４と引っ掛け具８との接続部に固定された板バネ１２により保持されるようになっている（図２の左下部の部分を参照）。
【０００５】
１４は上記基板２の表面に左右両側縁及び下端縁を固定されてこの基板２とでハッカー収納ポケット１５を構成するポケット形成板であり、皮革又は合成繊維からなる。Ａはそのハッカー収納ポケット１５に収納されるハッカー（結束工具）である。
１６は上記ポケット形成板１４の表面に設けられたミゼットカッター保持用板で、例えば金属からなり、上部と中間部と下部に保持具１８、２０、２２が一体に形成され、この保持具１８、２０、２２とミゼットカッター保持用板１６とによりミゼットカッターＢを保持する。２４は保持具２２に形成された孔で、この孔２４にゼットカッターＢの先端が嵌る。
【０００６】
２６は上記基板２の左側に設けられたチョーク収納具で、例えば金属からなるチョーク収納筒２８内にマーキングチョークＣを支持する図２に現れない保持具が収納されている。そして、チョーク収納筒２８の肉部の左側の部分には上下方向に延びる支持ピン挿通孔とこれと連通する高さの異なる複数の支持ピン係合孔が形成されている。
そして、上記保持具には上記支持ピン挿通孔や支持ピン係合孔を通して外部に突出するる支持ピン３０が形成されており、この支持ピン３０によりマーキングチョークＣを支持し、この支持ピン３０を持って上記支持ピン挿通孔に沿って上下することによりマーキングチョークＣの高さを変え、支持ピン３０を一つの支持ピン係合孔に係合させることによりマーキングチョークＣの高さをその係合する支持ピン係合孔に応じた高さに支持することができる。このようにマーキングチョークＣの高さを変化させることができるようにするのは、マーキングチョークＣは使用すると減り、高さが低くなり、チョーク収納具２６から先端が出なくなり、チョークＣを摘んで取り出せない状態になるので、そうならないようにするためである。
【０００７】
尚、このチョーク収納具２６の構成の要部は、図２には現れないが、後で説明する本願考案の実施例を示す図１には現れるので、図１を参照されたい。因みに、このチョーク収納具２６自体の構成には、本願考案の本質がない。
【０００８】
３２は上記基板２の右側に設けられた折り尺収納具で、上側が開口した断面略正方形の有底の例えば金属製の折り尺収納筒３４からなり、折り尺Ｄを収納する。
３６は上記基板２の上端部に上へ突出するように設けられた被引っ掛け片で、例えば金属からなる。３８はその被引っ掛け片３６に形成された被引っ掛け孔で、この被引っ掛け孔３８に上記引っ掛け板８の先端の上下引っ掛け１０を引っ掛け、その引っ掛けた状態をバネ板１２により保持するようになっている。これにより作業用ケース１０２はベルトに吊り下げられた状態に保持される。
【特許文献１】特許第３１７０５３６号公報
【特許文献２】特開２００１−１７９６６２号公報
【考案の開示】
【考案が解決しようとする課題】
【０００９】
ところで、図２に示した従来の作業用ケース１０２には、チョーク収納具２６が基板２表面の向かって左側に取り付けられていたので、作業員の大部分である右利きの人には使いにくいという問題があった。
即ち、右利きの作業員がこの作業用ケース１０２を使用する場合、安全ベルト等のベルトを作業用ケース１０２のベルト挿通部６に通し、腰の右側の部分にその作業用ケース１０２を位置させて作業に臨むが、そうすると、必然的にチョーク収納具２６が後側に位置し、支持ピン３０が後ろ向きになる。
【００１０】
従って、支持ピン３０を持って上記支持ピン挿通孔に沿って上下することによりマーキングチョークＣの高さを変え、支持ピン３０を一つの支持ピン係合孔に係合させることによりマーキングチョークＣの高さをその係合する支持ピン係合孔に応じた高さに支持する作業がやりにくいのである。
依って、作業員の大部分である右利きの人には使いにくいという問題があったのである。
【００１１】
ハッカー（結束工具）Ａ、ミゼットカッターＢ、折り尺Ｄの取り出しは、これ等Ａ、Ｂ、Ｄの収納部から突出した部分を摘んで引っ張り上げれば行えるので、簡単に行える。しかし、チョーク収納具２６の操作は小さな支持ピン３０を摘んで操作するのは比較的面倒であるので、チョーク収納具２６が後側に位置し、支持ピン３０が後ろ向きになることはその面倒さを助長する要因になり、看過できない問題になったのである。
【００１２】
本考案は、このような問題を解決すべく為されたものであり、皮革又は合成繊維等からなる基板の表面に、上下方向に伸び筆記具を収納する収納筒内に上下移動可能に収納されてその筆記具を支持し且つ支持ピンを有する支持片を配置し、上記収納筒に上下方向に伸びる支持ピン挿通孔及びそれに連通する互いに高さの異なる複数の支持ピン係合孔を形成し、上記支持ピンを上記支持ピン挿通孔或いは複数の支持ピン係合孔を通して上記収納筒から外部に突出させた筆記具収納部を含む複数の工具収納部を設け、上記基板の上にベルトを通すベルト挿通部を形成した作業用ケースにおいて、筆記具収納部の操作をし易くすることを目的とする。
【課題を解決するための手段】
【００１３】
本考案作業用ケースは、基板の表面に向かって右側の部分に二つの工具類収納部を前後に重ねて配置し、上記二つの工具類収納部の一方を上記筆記具収納部としたことを特徴とする。
【考案の効果】
【００１４】
本考案作業用ケースによれば、基板の表面に向かって右側の部分に二つの工具類収納部を前後に重ねて配置したので、作業員の大部分である右利きの人が作業用ケースのベルト挿通部に例えば安全ベルトを挿通して作業用ケースをセットすると、筆記具収納部が前側に位置し、支持ピンが前側を向く。
従って、筆記具収納部の支持ピンの操作がし易くなる。
【考案を実施するための最良の形態】
【００１５】
本考案は、基本的に、皮革又は合成繊維等からなる基板の表面に向かって右側の部分に二つの工具類収納部を前後に重ねて配置し、斯かる二つの工具類収納部の一方を上記筆記具収納部としたものであるが、より好ましくは、筆記具収納部を前側に配置する方が良い。
というのは、支持ピンの操作が稍面倒な筆記具収納部が奥ではなく前側なのでより操作がし易いからである。
尚、本考案において、複数の工具類収納部のうちの一つは、例えばマーキングチョーク収納具の如き筆記具収納部であることが必要であるが、他の工具類収納部はどのような工具類を収納する収納部であっても良い。
【実施例１】
【００１６】
以下、本考案の詳細を図示実施例に基いて説明する。
図１は本考案作業用ケースの一つの実施例を示す斜視図である。
図面において、１は作業用ケース、２は皮革又は合成繊維からなる基板、４は皮革又は合成繊維からなる被吊り板で、下端部がこの基板２の裏面の上部に固定され、上部が前方にＵ字状に折り返され、ベルト挿通部６を構成している。８は例えば金属からなる引っ掛け具で、上記被吊り板４の先端に固定されている。１０はその引っ掛け具８の下端部を後ろ側にＵ字状に折り返すことにより形成された引っ掛け片である。この引っ掛け片１０は後述する被引っ掛け片（３６）の被引っ掛け孔（３８）に通され、係合するようにされており、その係合状態は上端を被吊り版４と引っ掛け具８との接続部に固定された板バネ１２により保持されるようになっている。
【００１７】
１４は上記基板２の表面に左右両側縁及び下端縁を固定されてこの基板２とでハッカー収納ポケット１５を構成するポケット形成板であり、皮革又は合成繊維からなる。Ａはそのハッカー収納ポケット１５に収納されるハッカー（結束工具）である。
１６は上記ポケット形成板１４の表面に設けられたミゼットカッター保持用板で、例えば金属からなり、上部と中間部と下部に保持具１８、２０、２２が一体に形成され、この保持具１８、２０、２２とミゼットカッター保持用板１６とによりミゼットカッターＢを保持する。２４は保持具２２に形成された孔で、この孔２４にゼットカッターＢの先端が嵌る。
【００１８】
３２は上記基板２の右側に設けられた折り尺収納具で、上側が開口した断面略正方形の有底の例えば金属製の筒３４からなり、折り尺Ｄを収納する。
２６は上記基板２の右側に設けられた上記折り尺収納部３２の表側に取り付けられたチョーク収納具で、例えば金属からなるチョーク収納筒２８内にマーキングチョークＣを支持する円柱状の支持片４０が収納されている。そして、チョーク収納筒２８の左側の肉部には上下方向に延びる支持ピン挿通孔４２とこれと連通する高さの異なる複数の支持ピン係合孔４４、４４、・・・が形成されている。
【００１９】
そして、上記支持片４０には上記支持ピン挿通孔４２、支持ピン係合孔４４、４４、・・・を通して外部に突出する支持ピン３０が形成されており、この支持ピン３０によりマーキングチョークＣを支持し、この支持ピン３０を持って上記支持ピン挿通孔４２に沿って上下することによりマーキングチョークＣの高さを変え、支持ピン３０を一つの支持ピン係合孔４４に係合させることによりマーキングチョークＣの高さをその係合する支持ピン係合孔４４に応じた高さに支持することができる。このようにマーキングチョークＣの高さを変化させることができるようにするのは、マーキングチョークＣを使用すると減り、高さが低くなり、チョーク収納具２６から先端が出なくなり、チョークＣを摘んで取り出せない状態になるので、その場合にチョークＣを高くできるようにするためである。
【００２０】
３６は上記基板２の上端部に上へ突出するように設けられた被引っ掛け片で、例えば金属からなる。３８はその被引っ掛け片３６に形成された被引っ掛け孔で、この被引っ掛け孔３８に上記引っ掛け板８の先端の上下引っ掛け１０を引っ掛け、その引っ掛けた状態をバネ板１２により保持するようになっている。これにより作業用ケース１０２はベルトに吊り下げられた状態に保持される（図１の右下部分参照）。
尚、作業ケースのベルト挿通部６のベルトに吊り下げられた状態に保持するための機構の意匠については本願出願人会社が三つの意匠登録第１１７２６４９号、第１１７２９８３号及び第１１７８３８４号を受けている。
【００２１】
このような作業用ケース１によれば、基板２の表面に向かって右側の部分に二つの工具類収納部、即ち、折り尺収納部３２とマーキングチョーク収納具２６をに重ねて配置したので、作業員の大部分である右利きの人が作業用ケース２のベルト挿通部６に例えば安全ベルトを挿通して作業用ケースをセットすると、マーキングチョーク収納具２６が前側に位置し、支持ピン３０が前側を向く。
従って、マーキングチョーク収納具２６の支持ピン３０の操作がし易くなる。
【００２２】
尚、本実施例においては、工具類収納部として、マーキングチョーク収納具２６の他にハッカー収納部１５、ミゼットカッター収納部１６、１８、２０、２２及び折り尺収納部３２を有するが、本考案においては、複数の工具類収納部を有し、そのうちの一つはマーキングチョーク収納具２６等の筆記具収納部であることが不可欠であるが、それ以外の工具類収納部は必ずしもハッカー収納部１５、ミゼットカッター収納部１６、１８、２０、２２、折り尺収納部３２であることは不可欠ではなく、他の種類の工具類収納部であっても良い。
【産業上の利用可能性】
【００２３】
本考案は、皮革又は合成繊維等からなる基板の表面に、上下方向に伸び筆記具を収納する収納筒内に上下移動可能に収納されてその筆記具を支持し且つ支持ピンを有する支持片を配置し、上記収納筒に上下方向に伸びる支持ピン挿通孔及びそれに連通する互いに高さの異なる複数の支持ピン係合孔を形成し、上記支持ピンを上記支持ピン挿通孔或いは複数の支持ピン係合孔を通して上記収納筒から外部に突出させた筆記具収納部を含む複数の工具類収納部を設け、上記基板の上にベルトを通すベルト挿通部を形成した作業用ケースに、産業上の利用可能性がある。
【図面の簡単な説明】
【００２４】
【図１】本考案作業用ケースの一つの実施例を示す斜視図である。
【図２】本考案作業用ケースの一つの従来例を示す斜視図である。
【符号の説明】
【００２５】
１・・・作業用ケース、２・・・基板、６・・・ベルト挿通部、
１５・・・工具類収納部（ハッカー収納具）、
１６、１８、２０、２２・・・工具類収納部（ミゼットカッター収納部）、
２６・・・筆記具収納部（マーキングチョーク収納具）、
２８・・・収納筒（チョーク収納筒）、３０・・・支持ピン、
３２・・・工具類収納部（折り尺収納部）、４０・・・支持片、
４２・・・支持ピン挿通孔、４４・・・支持ピン係合孔、
Ａ、Ｂ、Ｃ、Ｄ・・・工具類、Ｄ・・・工具類（マーキングチョーク）。
【図１】
0003132786.tif 000003
【図２】
0003132786.tif 000004